(57)【要約】【課題】  プラスチックレンズ周辺のスペースを増大させることなく、またプラスチックレンズを変形させることもなく、プラスチックレンズを高精度に保持することができるプラスチックレンズの保持方法およびプラスチックレンズの保持構造を提供する。【解決手段】  ズーム鏡胴１１を構成するレンズ枠１１１のかしめ部１１１ａによるかしめにより、レンズ枠１１１にプラスチックレンズ１１ａが保持されてなるプラスチックレンズ１１ａの保持構造において、プラスチックレンズ１１ａとかしめ部１１１ａとの間に、かしめ方向に弾力を形成するスリットを有する樹脂材料からなるリング状部材１１２を挟んだまま、プラスチックレンズ１１ａをかしめた。【選択図】        図３
2005043690.tif 000002
【特許請求の範囲】
【請求項１】
プラスチックレンズをレンズ枠に設けられたかしめ部によってかしめることにより該プラスチックレンズを保持するプラスチックレンズの保持方法において、
プラスチックレンズをかしめ前のレンズ枠に配置する際に、該プラスチックレンズと該かしめ部との間に、樹脂材料からなるリング状部材を配置し、
前記かしめ部で、前記リング状部材を間に挟んだまま前記プラスチックレンズをかしめることを特徴とするプラスチックレンズの保持方法。
【請求項２】
前記リング状部材は、前記かしめ部によるかしめ前において、かしめ方向に弾力を形成するスリットを有するものであることを特徴とする請求項１記載のプラスチックレンズの保持方法。
【請求項３】
レンズ枠のかしめ部によるかしめにより該レンズ枠にプラスチックレンズが保持されてなるプラスチックレンズの保持構造において、
前記プラスチックレンズと前記かしめ部との間に樹脂材料からなるリング状部材が挟まれてなることを特徴とするプラスチックレンズの保持構造。
【発明の詳細な説明】
【技術分野】
【０００１】
本発明は、プラスチックレンズの保持方法およびプラスチックレンズの保持構造に関する。
【背景技術】
【０００２】
近年、光学機器の１つであるカメラには、射出成形機等により成形されるプラスチックレンズが多用されている。このようなプラスチックレンズは、カメラのレンズ鏡胴を構成するレンズ枠に、押さえ環で押さえて保持したり接着剤で接着して保持される。
【０００３】
しかし、押さえ環でプラスチックレンズをレンズ枠に保持する技術では、押さえ環とレンズ枠における締結機構（ねじ係合機構）が必要であり、このような機構を形成するためにはプラスチックレンズの周辺にスペースを設ける必要がある。しかし、小型化が求められている昨今の光学機器では、このようなスペースを確保することは困難である。
【０００４】
一方、接着剤でプラスチックレンズをレンズ枠に保持する技術では、接着剤とプラスチックレンズを形成する光学樹脂材料との化学反応でプラスチックレンズが侵される場合や、上記光学樹脂材料によっては接着剤で接着しにくい場合がある。また、接着剤の硬化収縮による影響や、接着剤，プラスチックレンズ，レンズ枠の熱膨張係数の違いにより、環境温度が変化した場合等を考慮すると、プラスチックレンズをレンズ枠に高い精度で保持することは困難である。
【０００５】
そこで、レンズ枠のかしめ部を熱で溶融して、そのレンズ枠にプラスチックレンズをかしめる技術が提案されている（特許文献１参照）。この技術によれば、プラスチックレンズの周辺に締結機構用のスペースを確保する必要はなく、また接着剤も不要である。
【特許文献１】特開平８−１３６７８３号公報
【発明の開示】
【発明が解決しようとする課題】
【０００６】
しかし、上述した特許文献１に提案された技術では、レンズ枠のかしめ部を熱で溶融するにあたり、その熱がプラスチックレンズに伝達される。このため、プラスチックレンズが熱で変形するおそれがあるという問題を抱えている。そこで、熱によるかしめに代えて、常温でプラスチックレンズをかしめることが考えられる。しかし、常温でプラスチックレンズをかしめるためには大きなかしめ力が必要であり、このように大きなかしめ力でプラスチックレンズをかしめると、今度はプラスチックレンズが変形するおそれがあるという問題が発生する。
【０００７】
本発明は、上記事情に鑑み、プラスチックレンズ周辺のスペースを増大させることなく、またプラスチックレンズを変形させることもなく、プラスチックレンズを高精度に保持することができるプラスチックレンズの保持方法およびプラスチックレンズの保持構造を提供することを目的とする。
【課題を解決するための手段】
【０００８】
上記目的を達成する本発明のプラスチックレンズの保持方法は、プラスチックレンズをレンズ枠に設けられたかしめ部によってかしめることによりそのプラスチックレンズを保持するプラスチックレンズの保持方法において、
プラスチックレンズをかしめ前のレンズ枠に配置する際に、そのプラスチックレンズとそのかしめ部との間に、樹脂材料からなるリング状部材を配置し、
上記かしめ部で、上記リング状部材を間に挟んだまま上記プラスチックレンズをかしめることを特徴とする。
【０００９】
本発明のプラスチックレンズの保持方法は、プラスチックレンズとレンズ枠のかしめ部との間に、樹脂材料からなるリング状部材を挟んだままプラスチックレンズをかしめるものであるため、プラスチックレンズを十分に大きな力でかしめても、リング状部材が緩衝材の役割を担うこととなり、その大きな力はリング状部材で吸収されてプラスチックレンズの変形が防止される。従って、従来技術のように、プラスチックレンズの周辺に締結機構用のスペースを確保する必要や接着剤を使用する必要はなく、また熱でプラスチックレンズが変形することもなく、プラスチックレンズを高精度に保持することができる。
【００１０】
ここで、本発明のプラスチックレンズの保持方法において、上記リング状部材は、上記かしめ部によるかしめ前において、かしめ方向に弾力を形成するスリットを有するものであることが好ましい。
【００１１】
このようなリング状部材を間に挟んでプラスチックレンズをかしめると、かしめ時の力量がスリットの持つバネ性によりプラスチックレンズに直接伝達されないため、プラスチックレンズのさらなる変形防止を図ることができる。
【００１２】
また、上記目的を達成する本発明のプラスチックレンズの保持構造は、レンズ枠のかしめ部によるかしめによりそのレンズ枠にプラスチックレンズが保持されてなるプラスチックレンズの保持構造において、
上記プラスチックレンズと上記かしめ部との間に樹脂材料からなるリング状部材が挟まれてなることを特徴とする。
【００１３】
本発明のプラスチックレンズの保持構造は、プラスチックレンズとレンズ枠のかしめ部との間に樹脂材料からなるリング状部材が挟まれてなるものであるため、プラスチックレンズを十分に大きな力でかしめても、リング状部材が緩衝材の役割を担うこととなり、その大きな力はリング状部材で吸収されてプラスチックレンズの変形が防止される。従って、従来技術のように、プラスチックレンズの周辺に締結機構用のスペースを確保する必要や接着剤を使用する必要はなく、また熱でプラスチックレンズが変形することもなく、プラスチックレンズが高精度に保持される。
【発明の効果】
【００１４】
以上説明したように、本発明のプラスチックレンズの保持方法およびプラスチックレンズの保持構造によれば、プラスチックレンズ周辺のスペースを増大させることなく、またプラスチックレンズを変形させることもなく、プラスチックレンズを高精度に保持することができる。
【発明を実施するための最良の形態】
【００１５】
以下、本発明の実施形態について説明する。
【００１６】
図１は、本発明のプラスチックレンズの保持方法およびプラスチックレンズの保持構造の一実施形態が適用されたカメラを、前面斜め上から見た外観斜視図である。
【００１７】
図１に示すカメラ１は、ロール状の写真フイルムに写真撮影を行なうカメラであり、このカメラ１の前面中央部には、プラスチックレンズ１１ａを内部に備えたズーム鏡胴１１が備えられている。
【００１８】
また、このカメラ１の前面上部には、リモコン受信部を構成するリモコン受信窓１２と、オートフォーカス（ＡＦ）測距部を構成する受光素子が内蔵されたＡＦ窓１３が備えられている。
【００１９】
さらに、このカメラ１の前面上部には、セルフタイマ撮影時もしくはリモコン操作時に光を発するセルフタイマ／リモコンランプ１４と、ファインダ対物窓１５と、内蔵された露出調整用のＡＥセンサに光を導くためのＡＥ受光窓１６と、撮影に同期してフラッシュ（閃光）を発するフラッシュ発光部１７とが備えられている。フラッシュ発光部１７は、ズーム鏡胴１１に備えられたプラスチックレンズ１１ａの焦点距離に応じるとともに、撮影距離にも応じて、フラッシュ発光光の被写体への照射角度が変更される構造を有する。
【００２０】
また、このカメラ１の上面には、シャッタボタン１８が備えられており、このカメラ１のシャッタボタン１８により操作されるシャッタには、撮影時に開口径が時間経過に従って広がるプログラムシャッタが採用されている。
【００２１】
図２は、図１のカメラを背面から見た外観図である。
【００２２】
このカメラ１の背面には、裏蓋２０と、視度調節ダイヤル２１と、ファインダ接眼窓２２と、ピント合わせが完了した時に光を発するＡＦランプ２３と、電源ボタン２４とが備えられている。
【００２３】
裏蓋２０には、プラスチックレンズ１１ａをテレ側（遠距離側）あるいはワイド側（近距離側）に動作させるズームボタン２５と、フイルム確認窓２６と、電池蓋２７とが備えられている。
【００２４】
また、裏蓋２０には、液晶モニタ部２８が備えられている。この液晶モニタ部２８は、オートフラッシュや赤目軽減フラッシュ等のフラッシュモードを表示するためのフラッシュモード表示部２８ａと、セルフタイマの有無やリモコンの有無等を表示するためのセルフタイマモード表示部２８ｂと、オートフォーカス等のフォーカスモードを表示するためのフォーカスモード表示部２８ｃと、年・月・日・時・分等を表示するための日付モード表示部２８ｄと、電池の残存容量を表示するための電池残存表示部２８ｅと、撮影枚数を表示するための撮影枚数表示部２８ｆとを有する。
【００２５】
さらに、裏蓋２０には、各種のメニューやモードの選択を行なうための十字ボタン２９と、各種のメニューを表示したり十字ボタン２９で選択されたメニューやモードを決定するためのメニュー／決定ボタン３０も備えられている。
【００２６】
図３は、図１に示すズーム鏡胴を構成するレンズ枠にプラスチックレンズが保持された状態を示す断面図である。
【００２７】
本実施形態のカメラ１は、図３に示すように、レンズ枠１１１のかしめ部１１１ａによるかしめにより、レンズ枠１１１にプラスチックレンズ１１ａが保持されてなるプラスチックレンズの保持構造を有する。ここで、プラスチックレンズ１１ａとかしめ部１１１ａとの間には、樹脂材料からなるリング状部材１１２が挟まれている。
【００２８】
図４は、図３に示すリング状部材の、かしめ前の断面図である。
【００２９】
図４に示すリング状部材１１２は、かしめ部１１１ａによるかしめ前において、かしめ方向（図４の左右方向）に弾力を形成するスリット１１２ａを有する。
【００３０】
図１に示すカメラ１に適用された、本実施形態のプラスチックレンズの保持構造は、プラスチックレンズ１１ａとレンズ枠１１１のかしめ部１１１ａとの間に樹脂材料からなるリング状部材１１２が挟まれてなるものであるため、プラスチックレンズ１１ａを十分に大きな力でかしめても、リング状部材１１２が緩衝材の役割を担うこととなり、かしめによる大きな力はリング状部材１１２で吸収されてプラスチックレンズ１１ａの変形が防止される。従って、従来技術のように、プラスチックレンズ１１ａの周辺に締結機構用のスペースを確保する必要や接着剤を使用する必要はなく、また熱でプラスチックレンズ１１ａが変形することもなく、プラスチックレンズ１１ａが高精度に保持されている。
【００３１】
次に、図１に示すカメラ１に適用された、本発明のプラスチックレンズの保持方法の一実施形態について、即ちプラスチックレンズ１１ａをかしめ部１１１ａでかしめることにより、そのプラスチックレンズ１１ａをレンズ枠１１１に保持する方法について、図５を参照して説明する。
【００３２】
図５は、本発明のプラスチックレンズの保持方法の一実施形態における工程を示す図である。
【００３３】
先ず、図５に示す第１の工程２０１において、プラスチックレンズ１１ａを、かしめ前のレンズ枠１１１に配置する。次いで、第２の工程２０２において、プラスチックレンズ１１ａとレンズ枠１１１のかしめ部１１１ａとの間に、樹脂材料からなるリング状部材１１２を配置する。尚、このリング状部材１１２は、前述した図４に示すように、かしめ部１１１ａによるかしめ前において、かしめ方向に弾力を形成するスリット１１２ａを有するものである。
【００３４】
次に、第３の工程２０３において、レンズ枠１１１のかしめ部１１１ａで、スリット１１２ａを有するリング状部材１１２を間に挟んだままプラスチックレンズ１１ａをかしめる。
【００３５】
このように、図１に示すカメラ１に適用された、本実施形態のプラスチックレンズの保持方法は、プラスチックレンズ１１ａとレンズ枠１１１のかしめ部１１１ａとの間に、樹脂材料からなるリング状部材１１２を挟んだままプラスチックレンズ１１ａをかしめるものであるため、プラスチックレンズ１１ａを十分に大きな力でかしめても、リング状部材１１２が緩衝材の役割を担うこととなり、かしめによる大きな力はリング状部材１１２で吸収されてプラスチックレンズ１１ａの変形が防止される。また、本実施形態では、かしめ方向に弾力を形成するスリット１１２ａを有するリング状部材１１２を間に挟んでプラスチックレンズ１１ａをかしめるものであるため、かしめ時の力量がスリット１１２ａの持つバネ性によりプラスチックレンズ１１ａに直接伝達されることはなく、プラスチックレンズ１１ａのさらなる変形防止が図られる。
【００３６】
尚、本実施形態では、ロール状の写真フイルム上に写真撮影を行なう通常のカメラの例で説明したが、固体撮像素子上に被写体の像を結像して画像を信号として取り込むデジタルカメラやビデオカメラ、オーバヘッドプロジェクタ（ＯＨＰ）、および映写機等の光学機器にも本発明を好適に適用することができる。
【図面の簡単な説明】
【００３７】
【図１】本発明のプラスチックレンズの保持方法およびプラスチックレンズの保持構造の一実施形態が適用されたカメラを、前面斜め上から見た外観斜視図である。
【図２】図１のカメラを背面から見た外観図である。
【図３】図１に示すズーム鏡胴を構成するレンズ枠にプラスチックレンズが保持された状態を示す断面図である。
【図４】図３に示すリング状部材の、かしめ前の断面図である。
【図５】本発明のプラスチックレンズの保持方法の一実施形態における工程を示す図である。
【符号の説明】
【００３８】
１  カメラ
１１  ズーム鏡胴
１１ａ  プラスチックレンズ
１２  リモコン受信窓
１３  ＡＦ窓
１４  セルフタイマ／リモコンランプ
１５  ファインダ対物窓
１６  ＡＥ受光窓
１７  フラッシュ発光部
１８  シャッタボタン
２０  裏蓋
２１  視度調節ダイヤル
２２  ファインダ接眼窓
２３  ＡＦランプ
２４  電源ボタン
２５  ズームボタン
２６  フイルム確認窓
２７  電池蓋
２８  液晶モニタ部
２８ａ  フラッシュモード表示部
２８ｂ  セルフタイマモード表示部
２８ｃ  フォーカスモード表示部
２８ｄ  日付モード表示部
２８ｅ  電池残存表示部
２８ｆ  撮影枚数表示部
２９  十字ボタン
３０  メニュー／決定ボタン
１１１  レンズ枠
１１１ａ  かしめ部
１１２  リング状部材
１１２ａ  スリット
２０１  第１の工程
２０２  第２の工程
２０３  第３の工程
【図１】
2005043690.tif 000003
【図２】
2005043690.tif 000004
【図３】
2005043690.tif 000005
【図４】
2005043690.tif 000006
【図５】
2005043690.tif 000007